(57)【要約】【課題】  携帯端末装置に記憶されている情報のセキュリティを確保しながら、その情報を有効に利用することが可能なクレイドルを提供する。【解決手段】  クレイドル２０の電源がＯＮされると、クレイドル２０の制御部２５は、通信インターフェース２４を介してネットワーク３０に接続し、ピア・ツー・ピア方式による通信を可能な状態とする。制御部２５は、クレイドル２０に携帯電話機１０が収容され、クレイドル２０のコネクタ２１に携帯電話機１０のコネクタ１１が接続されたことを検出（Plug＆Play機能を用いた自動検出）した場合、充電部２２に指示を出して携帯電話機１０の電池の充電を開始させると共に、通信インターフェース２４を介したネットワーク３０との接続を切断する。ネットワーク３０との接続を切断後、制御部２５は、携帯電話機１０とクレイドル２０との間でＵＳＢ通信を開始し、携帯電話機１０の記憶部１３に記憶されている画像データを、コネクタ１１及びコネクタ２１を介して取得し、記憶部２３に記憶する。【選択図】  図１
2005229454.tif 000002
【特許請求の範囲】
【請求項１】
携帯端末装置の充電を行うクレイドルであって、
前記携帯端末装置と通信する第１の通信手段と、
ネットワークに接続された端末とピア・ツー・ピア方式の通信を行う第２の通信手段と、
前記第１の通信手段による通信によって前記携帯端末装置から取得される前記ピア・ツー・ピア方式の通信に用いるデータを記憶する記憶手段と、
前記第１の通信手段による前記携帯端末装置との通信中、前記第２の通信手段による通信を切断する制御を行う制御手段とを備えるクレイドル。
【請求項２】
請求項１記載のクレイドルであって、
前記携帯端末装置は、携帯電話機を含むクレイドル。
【発明の詳細な説明】
【技術分野】
【０００１】
本発明は、携帯電話機等の携帯端末装置を充電するクレイドルに関する。
【背景技術】
【０００２】
従来、ユーザの持つパーソナルコンピュータ等の端末同士でピア・ツー・ピア通信を行い、データや演算能力などの情報資源を共有するといったことが行われている。
又、従来、デジタルカメラ等の携帯電子機器を収容するクレイドルに、充電機能の他に、画像データ等を記憶するメモリ、表示装置、及びメモリや表示装置等を制御するＣＰＵを搭載したものが知られている（例えば、特許文献１参照）。このクレイドルによれば、デジタルカメラで撮影した画像データをクレイドルに保存し、保存した画像データに基づく画像をクレイドルの表示装置で確認することができる。つまり、クレイドルを画像保管用のコンピュータとして利用することが可能である。
【０００３】
【特許文献１】特開２００２−３７４４４７号公報
【発明の開示】
【発明が解決しようとする課題】
【０００４】
特許文献１記載のクレイドルは、画像保管用のコンピュータとして機能するため、例えば、クレイドルをインターネット等のネットワークに接続し、ネットワークに接続された端末とピア・ツー・ピア通信を行い、クレイドルと端末とで画像データを共有することも可能である。しかしながら、デジタルカメラに記憶されている画像データをクレイドルのメモリに記憶しているときに、ピア・ツー・ピア通信が可能な状態であると、デジタルカメラとネットワークとが間接的に接続されることになり、デジタルカメラ内のデータのセキュリティを確保することができないという問題が生じる。この問題は、個人のプライバシーの情報等を記憶する携帯電話機等において特に深刻となる。
【０００５】
本発明は、上記事情に鑑みてなされたものであり、携帯端末装置に記憶されている情報のセキュリティを確保しながら、その情報を有効に利用することが可能なクレイドルを提供することを目的とする。
【課題を解決するための手段】
【０００６】
本発明のクレイドルは、携帯端末装置の充電を行うクレイドルであって、前記携帯端末装置と通信する第１の通信手段と、ネットワークに接続された端末とピア・ツー・ピア方式の通信を行う第２の通信手段と、前記第１の通信手段による通信によって前記携帯端末装置から取得される前記ピア・ツー・ピア方式の通信に用いるデータを記憶する記憶手段と、前記第１の通信手段による前記携帯端末装置との通信中、前記第２の通信手段による通信を切断する制御を行う制御手段とを備える。
【０００７】
この構成により、例えば、携帯端末装置からデータを取り込んでいるときには、ネットワークと携帯端末装置とが接続されないようにすることができる。このため、携帯端末装置の内部メモリ等に記憶している情報のセキュリティを確保することができる。
【０００８】
又、本発明のクレイドルは、前記携帯端末装置が携帯電話機を含むものである。
【０００９】
この構成により、携帯電話機は、電話帳データや電子メール等のプライバシーに関する情報を記憶するものであるため、こういった情報のセキュリティの確保が特に効果的となる。
【発明の効果】
【００１０】
本発明によれば、携帯端末装置に記憶されている情報のセキュリティを確保しながら、その情報を有効に利用することが可能なクレイドルを提供することができる。
【発明を実施するための最良の形態】
【００１１】
図１は、本発明の実施形態を説明するためのピア・ツー・ピア通信システムを説明するための概略構成を示す図である。
図１のピア・ツー・ピア通信システム１００は、携帯電話機やＰＤＡ、デジタルカメラ等の携帯端末装置の一例としての携帯電話機１０と、携帯電話機１０を収容して充電を行うクレイドル２０と、クレイドル２０に接続されるインターネット等のネットワーク３０と、ネットワーク３０に接続されるパーソナルコンピュータ等の端末（ピア）４０及び５０とを備える。
【００１２】
クレイドル２０と、ピア４０と、ピア５０とは、それぞれＴＣＰ／ＩＰに基づいたピア・ツー・ピア方式により通信を行うためのプログラムがインストールされており、このプログラムにより、ピア・ツー・ピア方式による通信を行うことができる。
【００１３】
携帯電話機１０は、クレイドル２０と通信を行うための通信インターフェースであるコネクタ１１と、デジタルカメラ等の撮像装置１２と、画像データ、電話帳データ、及び電子メールデータ等の各種データを記憶する記憶部１３と、各部を統括制御する制御部１４とを備える。尚、携帯電話機に必要な通話機能等の構成は省略した。
【００１４】
クレイドル２０は、携帯電話機１０と通信を行うための通信インターフェースであるコネクタ２１と、充電部２２と、記憶部２３と、ネットワーク３０を介してピア４０及び５０とピア・ツー・ピア方式による通信を行うための通信インターフェース２４と、制御部２５とを備える。
【００１５】
コネクタ２１は、携帯電話機１０がクレイドル２０に収容された状態で、携帯電話機１０のコネクタ１１に電気的に接続されるものである。ここで、携帯電話機１０とクレイドル２０との間の通信インターフェースには、ＵＳＢ、ＩｒＤＡ、ＩＥＥＥ１３９４その他のシリアルインターフェースやパラレルインターフェース等各種のインターフェースを適用できる。本例では、ＵＳＢインターフェースが適用されるものとする。又、コネクタ１１及びコネクタ２１は、ＵＳＢ端子と充電用電源端子並びに必要に応じてその他の信号伝達端子が一つのコネクタにまとめられた複合端子で構成される。
【００１６】
充電部２２は、コネクタ２１及びコネクタ１１を介して、携帯電話機１０の充電式電池を充電するものである。
【００１７】
記憶部２３は、コネクタ２１及びコネクタ１１を介して携帯電話機１０から取得した画像データ等を記憶するものである。この画像データは、ピア４０及び５０とピア・ツー・ピア方式による通信を行う際に用いるデータとなる。
【００１８】
通信インターフェース２４は、有線又は無線によりネットワーク３０に接続するためのインターフェースであり、例えば、有線ケーブルやアンテナ等である。通信インターフェース２４により、クレイドル２０は、電源ＯＮの状態では、基本的に、ネットワーク３０に常時接続可能となっている。
【００１９】
制御部２５は、コネクタ２１及びコネクタ１１を介して携帯電話機１０と通信する。制御部２５は、ピア・ツー・ピア方式による通信を行うためのプログラムにより、通信インターフェース２４を介して、ピア４０及び５０とピア・ツー・ピア方式による通信を行う。制御部２５は、コネクタ２１及びコネクタ１１を介して携帯電話機１０と通信している間は、通信インターフェース２４を介したピア・ツー・ピア方式による通信を切断する制御を行う。制御部２５は、充電部２２及び記憶部２３の制御も行う。
【００２０】
以下、ピア・ツー・ピア通信システム１００の動作を説明する。
図２は、本発明の実施形態を説明するためのピア・ツー・ピア通信システムの動作フローを示す図である。
クレイドル２０の電源がＯＮされると（Ｓ２０１）、クレイドル２０の制御部２５は、通信インターフェース２４を介してネットワーク３０に接続し（Ｓ２０２）、ピア・ツー・ピア方式による通信を可能な状態とする。この状態ではピア・ツー・ピア通信が可能となっているため、制御部２５は、記憶部２３に記憶された画像データの公開等を行うことができる。例えば、公開されている画像データの送信要求がピア４０からあった場合、制御部２５は、要求された画像データを記憶部２３から読み出し、通信インターフェース２４を介してピア４０に送信するといった処理を行うことできる。
【００２１】
制御部２５は、クレイドル２０に携帯電話機１０が収容され、クレイドル２０のコネクタ２１に携帯電話機１０のコネクタ１１が接続されたことを検出（Plug＆Play機能を用いた自動検出）した場合（Ｓ２０３：ＹＥＳ）、充電部２２に指示を出して携帯電話機１０の電池の充電を開始させると共に、通信インターフェース２４を介したネットワーク３０との接続を切断する（Ｓ２０４）。ネットワーク３０との接続を切断後、制御部２５は、携帯電話機１０とＵＳＢ通信を開始し、携帯電話機１０の記憶部１３に記憶されている画像データを、コネクタ１１及びコネクタ２１を介して取得し、記憶部２３に記憶する（Ｓ２０５）。全ての画像データの取得完了後（Ｓ２０６：ＹＥＳ）、制御部２５は、通信インターフェース２４を介してネットワーク３０に接続し（Ｓ２０７）、ピア・ツー・ピア方式による通信を可能な状態に復帰する。尚、ここでは、携帯電話機１０の記憶部１３に保存された画像データ全てを取得しているが、記憶部２３に記憶されている画像データと異なる画像データのみを取得するようにしても良い。
【００２２】
制御部２５は、クレイドル２０から携帯電話機１０が取り外され、携帯電話機１０のコネクタ１１とコネクタ２１との接続が解除されたことを検出した場合（Ｓ２０８：ＹＥＳ）、充電部２２に指示を出して携帯電話機１０の電池の充電を終了させ（Ｓ２０９）、Ｓ２０２に処理を移行する。
【００２３】
以上のように、本実施形態によれば、携帯電話機１０の撮像装置１２で撮像して得られた画像データを、クレイドル２０の記憶部２３に記憶しておき、ピア・ツー・ピア方式による通信を行うことによって、ここに記憶した画像データをクレイドル２０とピア４０及びピア５０とで共有することが可能となる。クレイドル２０は、携帯電話機１０の充電を行うものであるため、携帯電話機１０のユーザは、携帯電話機１０をクレイドル２０に定期的に装着することになる。この結果、携帯電話機１０の撮像装置１２で撮像して得た画像データをクレイドル２０の記憶部２３に定期的に記憶していくことができ、公開されている画像データの更新を、意図することなく頻繁に行うことができる。
【００２４】
又、画像データの更新は、携帯電話機１０をクレイドル２０に装着するだけで行われるため、その作業を容易に行うことができる。
【００２５】
又、携帯電話機１０からクレイドル２０に画像データが転送されている間、つまり、携帯電話機１０とクレイドル２０との通信中は、クレイドル２０とネットワーク３０とは接続されていない。このため、携帯電話機１０の記憶部１３に記憶されている電話帳データや電子メールデータ等のプライバシーに関するデータが、ネットワーク３０上に流出してしまう恐れを無くすことができ、携帯電話機１０に記憶される情報のセキュリティを確保することができる。
【００２６】
又、クレイドル２０は、頻繁に使用するものであるため、電源は常時ＯＮになっている可能性が高い。ピア・ツー・ピア方式による通信を行う際には、ピア同士が常時ネットワーク３０に接続されていることが望ましいため、本実施形態のように、クレイドル２０をピア・ツー・ピア方式による通信を行う端末として用いることは有用である。
【００２７】
尚、上記では、ピア・ツー・ピア方式による通信に用いるデータとして画像データを例に挙げたが、音楽データやテキストデータであっても良い。これらのデータは、他人に公開しても良いようなデータ、即ち、プライバシーに関するデータ以外のデータであればどんなものであっても良い。
【図面の簡単な説明】
【００２８】
【図１】本発明の実施形態を説明するためのピア・ツー・ピア通信システムを説明するための概略構成を示す図
【図２】本発明の実施形態を説明するためのピア・ツー・ピア通信システムの動作フローを示す図
【符号の説明】
【００２９】
２０  クレイドル
２１  コネクタ
２２  充電部
２３  記憶部
２４  通信インターフェース
２５  制御部
【図１】
2005229454.tif 000003
【図２】
2005229454.tif 000004